(57)【特許請求の範囲】
【請求項１】
ガス栓のせん収容部の上方開放筒部に回動可能に外嵌される下方開放の円筒部と、前記円筒部の上面の直径線上に突設する略矩形状の突起部とからなる操作つまみに被嵌させる操作補助具であって、
上方に凸の断面円弧状の頂面部とその下方に連接される外周面部とからなり、
前記外周面部は操作つまみの前記円筒部の外径よりも大きな外径を有すると共に、前記外周面部には、５つの断面円弧状の凹み部が周方向に等間隔に形成されてあり、
内部には、前記操作つまみの前記突起部がちょうど挿入可能な大きさの略矩形状の第１係合孔と、前記第１係合孔の下方に連続し且つ下方に開放する第２係合孔と、前記第１係合孔の下方開放端から前記第２係合孔の内周面に至る範囲に、前記突起部の基端部に連続する前記円筒部の上面が当接する当接面部が形成され、
前記第２係合孔には、前記当接面部が円筒部の上面に当接した状態にて前記円筒部の外周面に圧接する圧接部が設けられ、
前記第１係合孔は上方の前記頂面部に開放する横長矩形状の開放部を有していることを特徴とするガス栓用操作補助具。
【請求項２】
請求項１に記載のガス栓用操作補助具において、前記操作つまみの円筒部の上面が前記当接面部に当接した状態にて、前記第２係合孔の下方開放端は、前記操作つまみの円筒部の下方開放端と同じ高さに位置するように設定されているガス栓用操作補助具。
【請求項３】
請求項１又は２に記載のガス栓用操作補助具において、操作つまみの円筒部の外周面は上方へ向かって縮径する形状とし、前記第２係合孔は、前記円筒部の外周面に倣って上方へ向かって縮径する内周面を有すると共に、前記内周面に、複数の微小段部が形成されているガス栓用操作補助具。
【請求項４】
請求項１から３のいずれかに記載のガス栓用操作補助具において、下端周縁から半径方向外側に向かって鍔部を張り出させたガス栓用操作補助具。
【発明の詳細な説明】
【技術分野】
【０００１】
この発明は、ガス栓用操作補助具、特に、ガス栓の操作つまみに装着させて操作つまみの回動操作を容易にするガス栓用操作補助具に関する。
【背景技術】
【０００２】
台所等に設置されているガス栓の操作部は、一般に、図１０に示すように、せん(2)が回動自在に収容されているせん収容部(20)の左右に、ガス配管が接続される接続筒部(21)(22)が連設されていると共に、せん収容部(20)の上方開放筒部(23)に、バネ(24)やドライブシャフト(25)等の機構部を介して操作つまみ(3)が回動可能に装着されている。
操作つまみ(3)は、せん収容部(20)の上方開放筒部(23)に前記機構部を介して外嵌する下方開放の円筒部(31)と、その上面(32)の一つの直径線上に突設された略矩形状の突起部(33)とを有し、突起部(33)の頂面からビス(30)をドライブシャフト(25)に螺合させることにより、操作つまみ(3)は、ドライブシャフト(25)を介して、せん(2)と共回り可能となる。
【０００３】
同図の閉状態にあるガス流路を開状態とするには、操作つまみ(3)の突起部(33)を、２〜３本の指で摘んだ状態で下方へ押しながら反時計方向に９０度回動させる。このとき、作業者は、操作つまみ(3)をバネ(24)の付勢力に抗して押し下げると共に、せん収容部(20)内に密に収容されているせん(2)をドライブシャフト(25)と共に回動させなければならないため、高齢者や手の不自由な人等、手や指に力が入り難い人にとっては、操作つまみ(3)の回動操作は困難であるという問題がある。
【０００４】
そこで、操作つまみ(3)を回動操作する際に、手や指への負担を軽減させる操作補助具を操作つまみ(3)に装着させることが考えられる。
例えば、特許文献１には、操作補助具として、バルブのハンドルに被せる軟質材料製のハンドルカバーが開示されている。このものでは、ハンドル操作の際に、手や指が当たる部分を軟質材料で覆うことにより、手や指にかかる負担を軽減させて操作し易くしている。
【先行技術文献】
【特許文献】
【０００５】
【特許文献１】特開２０１３−７４３１号公報
【発明の概要】
【発明が解決しようとする課題】
【０００６】
しかしながら、上記特許文献１のものでは、カバーは、バルブのハンドルの外周を覆う筒状側部の下方開放端から内方に向かって、前記ハンドルの下端周縁に係合させる環状係合部を突設させた構成であるから、カバーをハンドルに装着させるには、カバーの下方開放端を強制的に押し広げながら装着させなければならず、スムーズな装着が難しい。また、ハンドルの下端周縁に環状係合部を係合させた状態のカバーを取り外すのはさらに困難である。さらに、前記環状係合部の全域がハンドルの下端周縁に確実に係合したか否かを確認することは難しく、不完全な係合状態で装着完了と誤認する虞れがある。この場合、操作時にカバーがハンドルから外れたり、歪んで装着されている場合、無理に操作することにより、カバーが変形したり破損したりする不都合がある。
【０００７】
本発明は、一方の接続筒部からせん収容部を介して他方の接続筒部に至るガス流路を開閉操作する操作つまみに装着させて、ガス栓の開閉作業の操作性を向上させると共に、操作つまみへの装着・取り外しを容易とするガス栓用操作補助具を提供することを課題とする。
【課題を解決するための手段】
【０００８】
上記課題を解決するために講じた本発明の解決手段は、
『ガス栓のせん収容部の上方開放筒部に回動可能に外嵌される下方開放の円筒部と、前記円筒部の上面の直径線上に突設する略矩形状の突起部とからなる操作つまみに被嵌させる操作補助具であって、
上方に凸の断面円弧状の頂面部とその下方に連接される外周面部とからなり、
前記外周面部は操作つまみの前記円筒部の外径よりも大きな外径を有すると共に、前記外周面部には、５つの断面円弧状の凹み部が周方向に等間隔に形成されてあり、
内部には、前記操作つまみの前記突起部がちょうど挿入可能な大きさの略矩形状の第１係合孔と、前記第１係合孔の下方に連続し且つ下方に開放する第２係合孔と、前記第１係合孔の下方開放端から前記第２係合孔の内周面に至る範囲に、前記突起部の基端部に連続する前記円筒部の上面が当接する当接面部が形成され、
前記第２係合孔には、前記当接面部が円筒部の上面に当接した状態にて前記円筒部の外周面に圧接する圧接部が設けられ、
前記第１係合孔は上方の前記頂面部に開放する横長矩形状の開放部を有していること』を特徴とする
【０００９】
上記手段は次のように作用する。
本発明のガス栓用操作補助具を装着させるガス栓の操作つまみとしては、せん収容部の上方開放部に外嵌させる下方開放の円筒部と、その上面の直径線上に略矩形状の突起部が突設された一般的な形状のものが採用可能であり、前記突起部を、第２係合孔からそれに続く第１係合孔に挿入させ、操作つまみの円筒部の上面を当接面部に当接させる。この状態がガス栓への装着完了状態であり、この状態にて、操作つまみの突起部は第１係合孔に係合状態に挿入され、前記円筒部には第２係合孔に設けられた圧接部が圧接する状態で収容される。第２係合孔に設けられた圧接部が一定の力で円筒部の外周面を圧接し保持する態様となるから、操作つまみは操作補助具と共回り可能となる。
操作補助具は、上方に凸の断面円弧状の頂面部とその下方に連接される外周面部とからなり、前記外周面部の外径は操作つまみよりも大きく設定されていると共に、前記外周面部には、５つの断面円弧状の凹み部が周方向に等間隔に形成されているから、５つの断面円弧状の凹み部の一部または全部に指をかけることが出来るので、２〜３本の指で突起部を摘んで操作する操作つまみに比べて、操作補助具は上から手で包み込むように掴んで支持することができる。これにより、操作つまみを軽い力で時計方向又は反時計方向に回動操作することができ、また、操作補助具を指の付け根や手のひらで上から押すことが出来るから、押し回し操作も容易となる。
また、操作つまみの円筒部の外周面には、第２係合孔の圧接部が圧接しているだけであるから、その圧接力に抗して操作補助具を引き抜くと、操作つまみから取り外すことができる
さらに、第１係合孔に操作つまみの突起部を挿入させ、円筒部の上面を第１係合孔から第２係合孔の内周面に至る範囲に形成された当接面部に当接させた状態にて、突起部の頂面は、第１係合孔の、前記頂面部に開放する横長矩形状の開放部から露出する態様となる。これにより、操作補助具が装着された状態でも、突起部の向きがわかるので、ガス栓の開閉状態を目視で確認することができる。また、操作補助具を外す際に、第１係合孔の開放部から操作つまみの突起部の頂面に締結されているビスを緩めれば、操作補助具を装着した状態のまま、操作つまみをせん収容部から取り外すことができ、ガス栓のメンテナンスを行うことができる。
なお、第１係合孔の深さを突起部の高さに一致させておけば、装着完了状態にて、第１係合孔の開放端と突起部の頂面とは面一となるから、操作補助具が正しく装着されているかどうかをガス栓の上方から目視で確認することができる。
【００１０】
上記ガス栓用操作補助具において、『前記操作つまみの円筒部の上面が前記当接面部に当接した状態にて、前記第２係合孔の下方開放端は、前記操作つまみの円筒部の下方開放端と同じ高さに位置するように設定されている』ことが望ましい。
操作補助具の装着完了状態にて、操作つまみの円筒部の上面が当接面部に当接すると同時に、第２係合孔の下方開放端が操作つまみの円筒部の下方開放端に一致するように設定されているから、操作補助具の正しい装着状態は、押込み時に操作つまみの円筒部の上面が当接面部に当接する際の手の感触で確認できると同時に、目視でも確認することができる。
【００１２】
上記ガス栓用操作補助具において、『操作つまみの円筒部の外周面は上方へ向かって縮径する形状とし、前記第２係合孔は、前記円筒部の外周面に倣って上方へ向かって縮径する内周面を有すると共に、前記内周面に、複数の微小段部が形成されている』ものでは、円筒部の外周面には、第２係合孔の内周面の複数の微小段部の突出端が強く圧接することとなるから、操作つまみの保持力は大きくなり、操作補助具の不用意な脱落を一層確実に防止することができる。この場合、微小段部の突出端が圧接部として機能することとなる。
【００１４】
上記ガス栓用操作補助具において、『下端周縁から半径方向外側に向かって鍔部を張り出させた』ものでは、操作補助具を上から手で包み込むように掴むと同時に、指先を鍔部に押し当てた状態で押込み操作することができるので、操作つまみの押し回し操作が一層容易となる。
【発明の効果】
【００１５】
ガス栓の操作つまみは、突起部を２〜３本の指で摘んだ状態で指だけの力で回動操作又は押し回し操作しなければならないが、操作つまみよりも大径な操作補助具を装着させることにより、操作補助具全体を上から掴んで、ほぼ全ての指や手のひらで支持することができる上に、操作つまみに比べて外径が大きい分軽いトルクで回動させることができる。  また、操作補助具を指の付け根や手のひらで押えながら回動させることができるから、軽い力でガス栓の回動操作や押し回し操作をすることができる。よって、回動操作の際に作業者の手や指にかかる負担を軽減させることができ、高齢者や手や指が不自由な人でも、操作つまみを軽い力で時計回り又は反時計回りに９０度回動又は押し回し操作することが可能となるから、ガス栓の開閉操作を容易に行うことができる。
また、操作補助具を操作つまみの上から被覆させるとき、当接面部が操作つまみの突起部の頂面又は円筒部の上面に当接したことは手の感触で認知することができるから、操作補助具は操作つまみに常に正しく装着させることができ、歪んで装着されたまま使用されることはない。よって、不完全な装着態様のまま操作することにより操作補助具が不用意に外れたり、変形したり破損したりする不都合はない。
操作補助具は操作つまみの円筒部に圧接部が圧接しているだけであるから、その圧接力に抗して操作補助具を引き抜くだけで容易に操作つまみから取り外すことができる。
さらに、操作補助具を二口ガス栓の一方の操作つまみに装着しておけば、日常的に使用しているガス栓が明確となり、不使用側のガス栓を誤って開放してしまうというご操作を防止することができる。
【図面の簡単な説明】
【００１６】
【図１】本発明の第１番目の実施の形態のガス栓用操作補助具を二口ガス栓に装着した状態を示す斜視図である。
【図２】本発明の第１番目の実施の形態のガス栓用操作補助具のみの平面図である。
【図３】図２のＡ−Ａ断面図のガス栓用操作補助具と操作つまみの要部を示す説明図である。
【図４】図２のＢ−Ｂ断面図である。
【図５】本発明の第２番目の実施の形態のガス栓用操作補助具を二口ガス栓に装着した状態を示す斜視図である。
【図６】本発明の第２番目の実施の形態のガス栓用操作補助具とそれが装着されている操作つまみの説明図である。
【図７】本発明の第３番目の実施の形態のガス栓用操作補助具である。
【図８】本発明の第４番目の実施の形態のガス栓用操作補助具の部分拡大断面図である。
【図９】本発明の第５番目の実施の形態のガス栓用操作補助具である。
【図１０】一般的なガス栓の説明図。
【発明を実施するための形態】
【００１７】
以下、本願発明の実施の形態を、図面に基づいて説明する。
図１は、本発明の第１番目の実施の形態のガス栓用操作補助具を二口ガス栓に装着した状態を示す斜視図であり、図２は、補助具のみの平面図であり、図３は、図２のＡ−Ａ断面図であって、操作つまみに装着した状態を示している。図４は図２のＢ−Ｂ断面図である。
【００１８】
この実施の形態で採用したガス栓は、図１に示すように、背面に突設されたガス入口筒部としての一つの配管接続部(30)からガス流路が左右に分岐されて左右一対のガス栓本体(34)(35)が形成された、所謂、二口ガス栓であり、屋内側壁面や流し台や調理台の天板等に固定されて使用される。
一方のガス栓本体(34)の正面から前方に突設されている略Ｌ字状のガス出口筒部の先端は、ソケット接続用のプラグ部(3a)となっており、他方のガス栓本体(35)のガス出口筒部の先端は、ガスゴム管接続用のホースエンド部(3b)となっている。
【００１９】
各ガス栓本体(34)(35)内には、図示しないが、逆円錐台形状のせんが略密嵌状態に収容されるせん収容部が設けられ、その上方開放端に連続する上方開放筒部に操作つまみ(3)がそれぞれ回動可能に外嵌しており、操作ハンドル(3)の回動操作によって、せんをせん収容部内で９０度回動させて、ガス流路は開閉される。
操作つまみ(3)としては、図１０に示したものと同様に、せん収容部の上方開放筒部に回動自在に外嵌する円筒部(31)と、その上面(32)の一つの直径線上に突設された略矩形状の突起部(33)とを備えた一般的な形状のものが適用可能である。上面(32)は、突起部(33)の基端部の両側に形成される形状となっている。
なお、図１のものでは、一方のガス栓本体(34)の操作つまみにのみ、操作補助具(1)を装着させている。
【００２０】
第１番目の実施の形態の操作補助具(1)は、全体を樹脂製とすると共、上方に凸の断面円弧状の頂面部(11)とその下方に連接される外周面部(12)とからなり、外周面部(12)の外径は、操作つまみ(3)の円筒部(31)の外径よりも１０ｍｍ程度大径に形成されている。また、操作補助具(1)の高さは、操作つまみ(3)の高さより５ｍｍ程度高く設定されている。
また、外周面部(12)には、図２に示すように、５つの断面円弧状の凹み部(10)が周方向に等間隔に形成されている。
【００２１】
操作補助具(1)の内部には、図３及び図４に示すように、操作つまみ(3)の外形に倣った凹部(100)が形成されている。凹部(100)は、具体的には、操作つまみ(3)の略矩形状の突起部(33)がちょうど挿入可能な大きさの略矩形状の第１係合孔(1a)と、その下方に連続し且つ内周面が操作つまみ(3)の円筒部(31)に圧接する第２係合孔(1b)とからなり、第１係合孔1a)の両長辺側の下端から第２係合孔(1b)に至る境界部分には、操作つまみ(3)の円筒部(31)の上面(32)が当接する当接面部(1c)がそれぞれ形成されている。
この実施の形態では、第２係合孔(1b)の内周面全体が円筒部(31)の外周面に圧接する圧接部として機能するように設定されている。
また、第２係合孔(1b)は下方に開放すると共に、円筒部(31)の高さに一致する深さに設定されている。
第１係合孔(1a)は上方の頂面部(11)に開放させていることから、頂面部(11)には横長矩形状の開放部(13)が開口された形状となっている。
【００２２】
上記形状の操作補助具(1)を操作つまみ(3)に装着させるには、操作補助具(1)の頂面(11)の開放部(13)の向きを、台所等に取り付けられているガス栓の操作つまみ(3)の突起部(33)の向きに合わせた状態で、操作つまみ(3)の突起部(33)を、操作補助具(1)の第２係合孔(1b)から第１係合孔(1a)へ差し込んでいく。そして、操作つまみ(3)の円筒部(31)の上面(32)が、操作補助具(1)の凹部(100)内の当接面部(1c)に到達した時点で、操作つまみ(3)への操作補助具(1)の装着が完了する。
操作補助具(1)の当接面部(1c)が操作つまみ(3)の上面(32)に当接したことは、手の感触で認識することができ、また、第２係合孔(1b)の深さは第２円筒部(31)の高さに一致するように設定されているから、操作補助具(1)の装着完了状態においては、図３に示すように、操作補助具(1)の下方開放端が操作つまみ(3)の下方開放端に一致する態様となる。よって、操作補助具(1)が操作つまみ(3)に正しく装着されたかどうかは、手の感触と目視で確認することができる。
これにより、操作補助具(1)を操作つまみ(3)に不完全な被覆態様を装着完了状態と誤認して歪んだ装着態様のまま回動操作させ、操作補助具(1)が不用意に外れたり、変形したり破損したりする不都合はない。
【００２３】
なお、操作補助具(1)の全体高さは操作つまみ(3)よりも高く設定されているから、装着完了状態にて、突起部(33)の頂面(33a)は、開放部(13)から少し奥まって位置する態様となる。
【００２４】
操作つまみ(3)に装着させた操作補助具(1)を回動操作するには、操作補助具(1)を頂面部(11)側から手で掴むように支持し、操作補助具(1)の外周面部(12)に設けた５つの凹み部(10)に指を１本ずつかける。操作補助具(1)は操作つまみ(3)の外径より大きく形成されているから、ほぼ全ての指や手のひらで掴むように強い力で支持することができる。
【００２５】
操作つまみ(3)の突起部(33)は操作補助具(1)の第１係合孔(1a)に挿入されて係合しており、円筒部(31)は第２係合孔(1b)の内周面で圧接されて保持されているから、操作補助具(1)と操作つまみ(3)は共回り可能であり、また、操作補助具(1)は上記したように外径が大きい分軽いトルクで回動させることができる。よって、高齢者や手や指が不自由な人でも、軽い力で、操作補助具(1)を掴んで操作つまみ(3)を時計回りに９０度回動させて開状態にあるガス栓を閉状態とすることができる。
また、操作補助具(1)を頂面部(11)を指の付け根や手のひらで押すことができるから、操作補助具(1)全体に押圧力を加えることができ、操作補助具(1)を下方へ押し込みながら反時計回りに９０度回動させれば、閉状態にあるガス栓を開状態とすることができる。このように、指や手に負担をかけることなく、ガス栓の開閉操作を容易に行うことができる。
さらに、ガス栓の開又は閉の状態を操作補助具の開放部(13)の方向により認識することができる。
【００２６】
メンテナンス時等に、操作補助具(1)を操作つまみ(3)から取り外すには、第２係合部(1b)の圧接部としての内周面の、円筒部(31)の外周面への圧接力に抗して操作補助具(1)を強制的に引き抜けば取り外すことができる。取外し難い場合には、開放部(13)から露出している突起部(33)の頂面(33a)のビスを緩めて、操作つまみ(3)を操作補助具(1)と共にガス栓本体(34)から取り外し、その後、操作補助具(1)を操作つまみ(3)から引き抜いて取り外すことも出来る。
【００２７】
なお、操作補助具(1)は、二口ガス栓の左右に並列している二つのガス栓本体(34)(35)のどちらか一方の操作つまみ(3)にのみ装着可能とし、両方の操作つまみ(3)(3)に同時に回動操作可能に装着させることができない大きさに設定しておけば、二口ガス栓の使用中のガス栓本体(34)の操作つまみ(3)にのみ装着しておくことができ、不使用側のガス栓本体(35)の操作つまみ(3)を誤って開放してしまう危険を防止することができる。
【００２８】
図５に示すものは、第２番目の実施の形態の操作補助具(4)を、上記と同じ二口ガス栓の一方のガス栓本体(34)の操作つまみ(3)に装着した状態を示す斜視図である。
この操作補助具(4)の高さは、操作つまみ(3)の高さに一致させてあり、上方に凸の円弧状の頂面部(41)と、その周囲に続く外周面部(42)と、上記第１番目の実施の形態と同様に外周面部(42)に等間隔に形成されている断面円弧状の５つの凹み部(40)と、凹み部(40)を含む外周面部(42)の全周域から半径方向外方に突設する円板状の鍔部(44)とを具備する構成となっている。
【００２９】
内部には、図６に示すように、円筒部(31)に密に外嵌する第２係合孔(4b)と、その上方に連通し且つ突起部(33)が挿入可能な第１係合孔(4a)と、これら第１、第２係合孔(4a)(4b)の境界部分に形成され且つ操作つまみ(3)の円筒部(31)の上面(32)が当接する当接面部(4c)とが形成されている。
この実施の形態の操作補助具(4)は、第１係合孔(4a)に突起部(33)が挿入すると共に、操作つまみ(3)の円筒部(31)の上面(32)が操作補助具(4)内の当接面部(4c)に当接するまで操作つまみ(3)に被嵌させる。この装着完了状態にて、操作補助具(4)の頂面部(41)に開放する矩形状の開放部(43)から突起部(33)の頂面(33a)が面一に露出すると共に、鍔部(44)の下面と操作つまみ(3)の円筒部(31)の下方開放端が同じ高さに位置する態様となる。よって、この実施の形態のものでは、操作補助具(4)の操作つまみ(3)への装着態様は、当接面部(4c)が操作つまみ(3)の上面(31)に当接するときの手の感触と、操作補助具(4)の下端と、さらには上端を目視することで確認することができる。
【００３０】
操作つまみ(3)に被覆させた操作補助具(4)を、頂面部(41)側から手で掴むように支持し、５つの凹み部(40)の各々に指を対応させると、各指先は、鍔部(44)の上面に当接する。これにより、押し回し式のガス栓の場合、操作補助具(4)を上から掴んだ状態で鍔部(44)を指先で押し下げれば、少ない力で容易に操作つまみ(3)を押し込むことができ、その押込み状態のまま凹み部(40)にかけた指に力を加えれば、操作つまみ(3)を容易に回動させることができる。
また、操作補助具(4)を取り外す際に、鍔部(44)を指で引っ掛けて上方へ引き上げることができるので、操作補助具(4)の操作つまみ(3)からの取外しも容易となる。
このものについては、ガス栓の開又は閉の状態を操作補助具の開放部(13)に露出するつまみの頂面(33a)により認識することができる。
【００３１】
また、図７に示すものは、第３番目の実施の形態の操作補助具(5)の斜視図であり、外周面部(52)に設ける５つの凹み部(50)の下端部にのみ、鍔部(55)を張り出させる構成とした。
このものでは、操作つまみ(3)に装着させた操作補助具(5)を回動させる際に、凹み部(50)にかけた指の指先は、凹み部(50)の下端の鍔部(54)をそれぞれ押圧する態様となるから、第２番目の実施の形態のものと同様、押し回し操作を容易に行うことができると共に、操作補助具の指掛け部分が多くなるので、緊急時の閉操作においても操作性が向上したものとなる。
【００３２】
また、図８に示すものは、第４番目の実施の形態の操作補助具(6)の断面図であり、操作つまみ(3)に被覆させた状態を示している。
このものでは、操作つまみ(3)の円筒部(31)は上方に縮径するテーパ状となっているので、操作補助具(6)の第２係合孔(6b)の内周面も、円筒部(31)のテーパに倣って上方へ向かって縮径するように設定すると共に、前記内周面に、複数の微小段部(61)を形成している。この場合、微笑段部(61)の突出端が圧接部として機能することとなり、円筒部(31)の外表面(31a)は前記突出端で圧接されて保持される。これにより、操作補助具(6)を、より一層、操作つまみ(3)の円筒部(31)に抜け止め状態に装着させることができる。
【００３３】
なお、図９に示す第５番目の実施の形態の操作補助具(7)は、操作つまみ(3)の突起部(33)を挿入させる第１係合部(7a)を上方に開放させない構成としたもので、第１係合孔(7a)の上方閉塞部を、操作補助具の完全装着状態にて、操作つまみ(3)の突起部(33)の頂面(33a)が当接する当接面部(71)として機能させたものである。この場合、円筒部(31)の上面(32)は操作補助具(7)内にて当接させる必要はない。
【００３４】
上述した第１番目から第５番目の操作補助具においては、操作つまみ(3)に直接操作補助具を装着する構成としたが、操作つまみ(3)と操作補助具の間に隙間がある場合においても、隙間形状に応じた弾性部材等を介装することにより、同様の作用効果を有するものとすることができる。
【符号の説明】
【００３５】
(1) ・・・・・・操作補助具
(1a)・・・・・・第１係合孔
(1b)・・・・・・第２係合孔
(1c)・・・・・・当接面部
(3) ・・・・・・操作つまみ
(30)・・・・・・接続筒部
(31)・・・・・・円筒部
(32)・・・・・・上面
(33)・・・・・・突起部
(33a) ・・・・・頂面
【図１】
0006609458.tif 000002
【図２】
0006609458.tif 000003
【図３】
0006609458.tif 000004
【図４】
0006609458.tif 000005
【図５】
0006609458.tif 000006
【図６】
0006609458.tif 000007
【図７】
0006609458.tif 000008
【図８】
0006609458.tif 000009
【図９】
0006609458.tif 000010
【図１０】
0006609458.tif 000011